(57)【特許請求の範囲】
【請求項１】
洗濯兼脱水槽内へ水を注水する流出口を前面下部に有する注水装置と、前記注水装置の流出口近傍に設けられ前記流出口の幅より広い幅の洗剤投入蓋とを備え、前記洗剤投入蓋は、その一端が、前記注水装置の前面下部に取り付けられ、前記一端を回動支点として開閉可能であり、前記洗剤投入蓋が開状態においては、前記洗剤投入蓋の上の面を構成する内面の上に洗剤を載せることが可能な構成とし、前記洗剤投入蓋が閉状態においては、前記洗剤投入蓋の前記内面の閉状態における下部が前記流出口の対応位置に位置するとともに、前記洗剤投入蓋の前記内面の閉状態における下部と前記流出口との間に隙間が設けられ、前記流出口の両壁面を形成するとともに前記洗剤投入蓋側へ突出し、前記流出口の幅から前記洗剤投入蓋の幅まで広がる一対のリブを設け、前記洗剤投入蓋が開状態のとき、前記流出口から出た水は前記リブに沿って前記洗剤投入蓋の開状態において上の面を構成する内面を通り前記洗濯兼脱水槽内に注水され、前記洗剤投入蓋が閉状態のとき、前記流出口から出た水は前記隙間を通って前記洗濯兼脱水槽内に注水されるようにした洗濯機。
【請求項２】
洗剤投入蓋が閉状態のとき、流出口の両壁面を形成するリブの洗剤投入蓋側の先端面が前記洗剤投入蓋の内面に当接するようにした請求項１記載の洗濯機。
【請求項３】
水が当たることにより水の勢いを押さえる前面壁を流出口より上方に有し、注水装置から洗濯兼脱水槽へ注水される水は、前記前面壁に当たり前記前面壁の下端面の下を通って前記洗濯兼脱水槽に注水され、流出口の両壁面を形成するリブを前記前面壁の下端面より高く形成したことを特徴とする請求項１または２に記載の洗濯機。
【発明の詳細な説明】
【０００１】
【発明の属する技術分野】
本発明は洗濯時やすすぎ時に整流された水を洗濯槽内に注ぐ洗濯機の給水装置に関するものである。
【０００２】
【従来の技術】
従来、洗濯機は図６および図７に示すような構成が一般的であった。以下、その構成について説明する。
【０００３】
図６に示すように、水受け槽１は、底部にパルセーター２を回転自在に配設した洗濯兼脱水槽（洗濯槽）３を内包し、吊り棒４によって外枠５に吊り下げられている。外枠５の上部に上部外装体６を装着し、上部外装体６の略中央部に布投入口７を形成し、蓋８で覆っている。また、上部外装体６の後部に電磁給水弁９と注水装置１０を装着し、パネル１１で覆っている。さらに、電磁給水弁９に接続し給水ホース１２の先端を水道蛇口に接続する。
【０００４】
注水装置１０は、洗濯時やすすぎ時における水を流出口１３より洗濯兼脱水槽３内に注水するもので、図７に示すように、洗剤投入蓋１４を装着し、この洗剤投入蓋１４を、一点鎖線で示すように、開閉可能としている。
【０００５】
洗剤投入蓋１４が閉状態では、洗剤投入蓋１４の下端部より洗濯兼脱水槽３内に注水され、洗剤投入蓋１４が開状態では、洗剤投入蓋１４上に洗剤を投入することにより、洗濯時の洗濯水とともに洗剤を溶解しながら洗濯兼脱水槽３内に注水する。所定の水位に達すると、パルセーター２を駆動して洗濯する。洗濯が終了し高濃度の洗濯液を排水した後、すすぎ行程では、水受け槽１内に水を溜めて、衣類についている洗剤成分をすすぎ水の中で拡散し希釈を行っている。
【０００６】
【発明が解決しようとする課題】
このような従来の構成では、洗剤投入蓋１４を開状態とし、洗剤投入蓋１４上に洗剤を投入して、洗濯水とともに洗剤を溶解しながら洗濯兼脱水槽３内に注水するとき、使用する水道水圧により定まる給水量の多少によって、洗剤投入蓋１４の全面にわたって注水できない場合があり、洗剤投入蓋１４上に投入した洗剤の溶解残りが発生し、使用者に不快感を与えるという問題を有していた。
【０００７】
本発明は上記課題を解決するもので、給水量の多少に関係なく、投入洗剤の溶解残りを解消するとともに、給水量の多少に関わらず使用者の美観を損ねることなく、広範囲にわたって注水できるようにすることを目的としている。
【０００８】
【課題を解決するための手段】
本発明は上記目的を達成するために、洗濯兼脱水槽内へ水を注水する流出口を前面下部に有する注水装置と、前記注水装置の流出口近傍に設けられ前記流出口の幅より広い幅の洗剤投入蓋とを備え、前記洗剤投入蓋は、その一端が、前記注水装置の前面下部に取り付けられ、前記一端を回動支点として開閉可能であり、前記洗剤投入蓋が開状態においては、前記洗剤投入蓋の上の面を構成する内面の上に洗剤を載せることが可能な構成とし、前記洗剤投入蓋が閉状態においては、前記洗剤投入蓋の前記内面の閉状態における下部が前記流出口の対応位置に位置するとともに、前記洗剤投入蓋の前記内面の閉状態における下部と前記流出口との間に隙間が設けられ、前記流出口の両壁面を形成するとともに前記洗剤投入蓋側へ突出し、前記流出口の幅から前記洗剤投入蓋の幅まで広がる一対のリブを設け、前記洗剤投入蓋が開状態のとき、前記流出口から出た水は前記リブに沿って前記洗剤投入蓋の開状態において上の面を構成する内面を通り前記洗濯兼脱水槽内に注水され、前記洗剤投入蓋が閉状態のとき、前記流出口から出た水は前記隙間を通って前記洗濯兼脱水槽内に注水されるようにしたものである。
【０００９】
これにより、給水量の多少に関係なく、投入洗剤の溶解残りを解消することができるとともに、給水量の多少に関わらず使用者の美観を損ねることなく、広範囲にわたって注水することができる。
【００１０】
【発明の実施の形態】
本発明の請求項１に記載の発明は、洗濯兼脱水槽内へ水を注水する流出口を前面下部に有する注水装置と、前記注水装置の流出口近傍に設けられ前記流出口の幅より広い幅の洗剤投入蓋とを備え、前記洗剤投入蓋は、その一端が、前記注水装置の前面下部に取り付けられ、前記一端を回動支点として開閉可能であり、前記洗剤投入蓋が開状態においては、前記洗剤投入蓋の上の面を構成する内面の上に洗剤を載せることが可能な構成とし、前記洗剤投入蓋が閉状態においては、前記洗剤投入蓋の前記内面の閉状態における下部が前記流出口の対応位置に位置するとともに、前記洗剤投入蓋の前記内面の閉状態における下部と前記流出口との間に隙間が設けられ、前記流出口の両壁面を形成するとともに前記洗剤投入蓋側へ突出し、前記流出口の幅から前記洗剤投入蓋の幅まで広がる一対のリブを設け、前記洗剤投入蓋が開状態のとき、前記流出口から出た水は前記リブに沿って前記洗剤投入蓋の開状態において上の面を構成する内面を通り前記洗濯兼脱水槽内に注水され、前記洗剤投入蓋が閉状態のとき、前記流出口から出た水は前記隙間を通って前記洗濯兼脱水槽内に注水されるようにしたものであり、注水装置の流出口の両壁面を洗濯槽に向かって広げることにより、注水装置から整流されて洗濯槽内へ注水される注水流をリブに沿って拡散することができ、洗剤投入蓋を開状態としたとき、洗剤投入蓋の全面を通って注水することができるため、洗剤投入蓋上に投入した洗剤の溶解残りを解消することができるとともに、給水量の多少に関わらず使用者の美観を損ねることなく、広範囲にわたって注水することができる。
【００１１】
請求項２に記載の発明は、上記請求項１に記載の発明において、洗剤投入蓋が閉状態のとき、流出口の両壁面を形成するリブの洗剤投入蓋側の先端面が前記洗剤投入蓋の内面に当接するようにしたものであり、リブの先端面を洗剤投入蓋の閉状態で洗剤投入蓋の内面に当接するようにしているので、洗剤投入蓋を閉状態にし、給水量が多い場合に、リブと洗剤投入蓋の上面の間から回り込んだ溢水による水のしたたりや糸引き状態を解消することができる。さらに、洗剤投入蓋の振動による騒音を抑制することができる。
【００１２】
請求項３に記載の発明は、上記請求項１または２に記載の発明において、水が当たることにより水の勢いを押さえる前面壁を流出口より上方に有し、注水装置から洗濯槽へ注水される水は、前記前面壁に当たり前記前面壁の下端面の下を通って前記洗濯槽に注水され、流出口の両壁面を形成するリブを前記前面壁の下端面より高く形成したものであり、注水装置から洗濯槽へ注水される水は前面壁に当たり、水の勢いを押さえて前面壁の下端面の下を通って洗濯槽に注水される。このとき、リブを前面壁の下端面より高くしているため、水がリブを越えることがなく、給水量の多少にかかわらずリブと洗剤投入蓋の内壁面との隙間からの水漏れを防止することができて、水のしたたりや糸引き状態を解消し、美観を損ねない注水パターンを得ることができる。
【００１３】
【実施例】
以下、本発明の実施例について、図面を参照しながら説明する。なお、従来例と同じ構成のものは同一符号を付して説明を省略する。
【００１４】
（実施例１）
図１から図３に示すように、注水装置１５は、洗剤投入蓋１６を開閉可能に設け、流出口１７より洗濯兼脱水槽（洗濯槽）３内に注水するもので、前面開口の収納箱１８を設けている。収納箱１８の後部側壁に流入口１９を形成し、収納箱１８の底面部２０は前方に向けて傾斜面とし、略凹部２１を底面部２０と一体に形成している。流出口１７の両壁面を洗濯兼脱水槽３に向かって放射状に広がるリブ２２により形成している。
【００１５】
この注水装置１５を外装体２３の前面壁２４に密着するように外装体２３に装着している。このとき、収納箱１８の前面開口部は外装体２３の前面壁２４と当接し、下方のみ非当接部として流出口１７を形成する。前面壁２４の下端面は、中央に略直線部２５を有し、この略直線部２５の両側にほぼ対称に曲線部２６を形成して逆凸形状に形成し、略直線部２５の先端は注水装置１５の底面部２０より下方に位置するように構成している。
【００１６】
洗剤投入蓋１６は、収納箱１８の前面下部に設けた略円筒形の凸部２７に洗剤投入蓋１６に設けたＣ字状の嵌合部２８を嵌合させて回動可能に取り付け、その回動支点と反対側の洗剤投入蓋１６の上部には、前面壁２４に引っ掛け可能とする爪部２９を設け、洗剤投入蓋１６を開閉可能としている。外装体２３の後部に装着した電磁給水弁９と流入口１９とを流入ホース３０で連通させている。
【００１７】
上記構成において、洗濯時やすすぎ時に水道水は、給水ホース１２を介して電磁給水弁９に流入し、流入ホース３０を通じて注水装置１５内で整流された後に流出口１７より洗濯兼脱水槽３内に注水される。
【００１８】
ここで、リブ２２により流出口１７の両壁面を洗濯兼脱水槽３に向かって放射状に広がるように形成することによって、注水装置１５からの洗濯兼脱水槽３内への注水流をリブ２２に沿って拡散することができ、洗剤投入蓋１６の開状態で、洗剤を洗剤投入蓋１６に載せた場合に、水道水圧の高低によらず、流出口１７の幅より広い幅の洗剤投入蓋１６の上に水をいきわたらせることができ、洗剤投入蓋１６上の洗剤を全て溶解しながら洗濯兼脱水槽３内に流し込むことができる。また、洗剤投入蓋１６の閉状態で、広範囲にわたる注水が可能となり、注水流が集中することによる衣類からの跳ね返りや水飛びを防止することができる。
【００１９】
（実施例２）
図４および図５に示すように、注水装置１５の流出口１７の両壁面を形成するリブ２２の高さＨを前面壁２４の下端面の高さｈより高くし、リブ２２を洗剤投入蓋１６の内壁面３１に内接するように、くの字形に構成している。また、リブ２２は同一高さのまま突出させて、その先端面３２が洗剤投入蓋１６の閉状態で洗剤投入蓋１６の内面３３に当接するするようにしている。他の構成は上記実施例１と同じである。
【００２０】
上記構成において、注水装置１５から洗濯兼脱水槽３へ注水される水は前面壁２４に当たり、水の勢いを押さえて前面壁２４の下端面の下を通って洗濯兼脱水槽３に注水される。このとき、注水装置１５の流出口１７の両壁面を形成するリブ２２の高さＨを前面壁２４の下端面の高さｈより高くしているので、水がリブ２２を越えることがなく、給水量の多少にかかわらずリブ２２と洗剤投入蓋１６の内壁面３１との隙間からの水漏れを防止することができ、水のしたたりや糸引き状態を解消し、美観を損ねない注水パターンを得ることができる。
【００２１】
また、リブ２２を洗剤投入蓋１６の内壁面３１に内接するようにしているので、リブ２２の外側面と洗剤投入蓋１６の内壁面３１との間の隙間をなくすることができ、給水量が多い場合に、リブ２２の外側面と洗剤投入蓋１６の内壁面３１との間から溢水するのを防止することができる。さらに、洗剤投入蓋１６の開閉のいずれの状態においても、注水装置１５のリブ２２を洗剤投入蓋１６の内壁面３１に内接させることにより、洗剤投入蓋１６との接触面を増すことができ、脱水行程等における製品振動時の洗剤投入蓋１６からの異音、騒音を防止することができる。
【００２２】
また、リブ２２の先端面３２を洗剤投入蓋１６の閉状態で洗剤投入蓋１６の内面３３に当接するようにしているので、洗剤投入蓋１６を閉状態にし、給水量が多い場合に、リブ２２と洗剤投入蓋１６の内面３３の間から回り込んだ溢水による水のしたたりや糸引き状態を解消することができる。
【００２３】
【発明の効果】
以上のように本発明の請求項１に記載の発明によれば、洗濯兼脱水槽内へ水を注水する流出口を前面下部に有する注水装置と、前記注水装置の流出口近傍に設けられ前記流出口の幅より広い幅の洗剤投入蓋とを備え、前記洗剤投入蓋は、その一端が、前記注水装置の前面下部に取り付けられ、前記一端を回動支点として開閉可能であり、前記洗剤投入蓋が開状態においては、前記洗剤投入蓋の上の面を構成する内面の上に洗剤を載せることが可能な構成とし、前記洗剤投入蓋が閉状態においては、前記洗剤投入蓋の前記内面の閉状態における下部が前記流出口の対応位置に位置するとともに、前記洗剤投入蓋の前記内面の閉状態における下部と前記流出口との間に隙間が設けられ、前記流出口の両壁面を形成するとともに前記洗剤投入蓋側へ突出し、前記流出口の幅から前記洗剤投入蓋の幅まで広がる一対のリブを設け、前記洗剤投入蓋が開状態のとき、前記流出口から出た水は前記リブに沿って前記洗剤投入蓋の開状態において上の面を構成する内面を通り前記洗濯兼脱水槽内に注水され、前記洗剤投入蓋が閉状態のとき、前記流出口から出た水は前記隙間を通って前記洗濯兼脱水槽内に注水されるようにしたから、注水装置から整流されて洗濯槽内へ注水される注水流をリブに沿って拡散することができ、洗剤投入蓋を開状態としたとき、洗剤投入蓋の全面を通って注水することができるため、洗剤投入蓋上に投入した洗剤の溶解残りを解消することができるとともに、洗剤投入蓋の閉状態で、給水量の多少にかかわらず洗濯槽内に拡散しながら散水することができ、使用者の美観を損ねることなく、広範囲にわたって注水することができる。
【００２４】
また、請求項２に記載の発明によれば、洗剤投入蓋が閉状態のとき、流出口の両壁面を形成するリブの洗剤投入蓋側の先端面が前記洗剤投入蓋の内面に当接するようにしたから、リブの先端面を洗剤投入蓋の閉状態で洗剤投入蓋の内面に当接するようにしているので、洗剤投入蓋を閉状態にし、給水量が多い場合に、リブと洗剤投入蓋の上面の間から回り込んだ溢水による水のしたたりや糸引き状態を解消することができ、洗剤投入蓋上の注水流の流路を確定することができ、洗剤投入蓋上に載せた洗剤の溶解残りを解消することができ、さらに、洗剤投入蓋の振動による騒音を抑制することができる。
【００２５】
また、請求項３に記載の発明によれば、水が当たることにより水の勢いを押さえる前面壁を流出口より上方に有し、注水装置から洗濯兼脱水槽へ注水される水は、前記前面壁に当たり前記前面壁の下端面の下を通って前記洗濯兼脱水槽に注水され、流出口の両壁面を形成するリブを前記前面壁の下端面より高く形成したから、注水装置から洗濯槽へ注水される水がリブを越えることがなく、給水量の多少にかかわらずリブと洗剤投入蓋の内面との隙間からの水漏れを防止することができて、水のしたたりや糸引き状態を解消し、美観を損ねない注水パターンを得ることができる。
【図面の簡単な説明】
【図１】  本発明の第１の実施例の洗濯機の給水装置の分解斜視図
【図２】  同洗濯機の給水装置の洗剤投入蓋の開状態の平面図
【図３】  同洗濯機の給水装置を具備した洗濯機の縦断面図
【図４】  本発明の第２の実施例の洗濯機の給水装置の洗剤投入蓋の開状態の正面図
【図５】  同洗濯機の給水装置の要部斜視図
【図６】  従来の洗濯機の給水装置を具備した洗濯機の縦断面図
【図７】  同洗濯機の給水装置の一部切欠した断面図
【符号の説明】
３  洗濯兼脱水槽（洗濯槽）
１５  注水装置
１６  洗剤投入蓋
１７  流出口
２２  リブ
【図１】
0003814897.tif 000002
【図２】
0003814897.tif 000003
【図３】
0003814897.tif 000004
【図４】
0003814897.tif 000005
【図５】
0003814897.tif 000006
【図６】
0003814897.tif 000007
【図７】
0003814897.tif 000008